(57)【要約】【課題】複合サッシと金属サッシに兼用できてコストダウンを図ることのできる縦枠を有した複合サッシの枠体を提供する。【解決手段】上下枠及び左右の縦枠を方形状に枠組みしてなり内部に内外障子を引き違い状に納める複合サッシの枠体において、外障子が配置される側の縦枠３０は外障子の室内面近傍位置に第１係合部３１ｃを、第１係合部３１ｃよりも室内側に第２係合部３１ｄを、室内端部に第３係合部３１ｅを備え、縦枠３０の室内側面に設けられる樹脂縦枠３２は、室外側端部に縦枠３０の第１係合部３１ｃに係合する第１被係合部３２ａを、第１被係合部３２ａから室内側に向かって縦枠３０の第２係合部３１ｄを跨ぐように形成された室外部３２ｂを、室外部３２ｂより室内側を構成し縦枠３０の第３係合部３１ｅに係合する第３被係合部３２ｅを有した室内部３２ｄを、それぞれ備えてなる。【選択図】図３
2006188926.tif 000002
【特許請求の範囲】
【請求項１】
上下枠及び左右の縦枠を方形状に枠組みしてなり内部に内外障子を引き違い状に納める複合サッシの枠体において、
上記外障子が配置される側の縦枠は上記外障子の室内面近傍位置に第１係合部を備え、該第１係合部よりも室内側に第２係合部を備えると共に、室内端部に第３係合部を備え、
上記外障子が配置される側の縦枠の室内側面には、
室外側端部に設けられ上記縦枠の第１係合部に係合する第１被係合部と、該第１被係合部から室内側に向かって上記縦枠の第２係合部を跨ぐように形成された室外部と、該室外部より室内側を構成し上記縦枠の第３係合部に係合する第３被係合部を有した室内部とを備えてなる樹脂縦枠と、
室外側端部に設けられ上記縦枠の第２係合部に係合する第２被係合部と、該第２被係合部よりも室内側を構成し上記縦枠の第３係合部に係合する第３被係合部を有した室内部とを備えてなる室内樹脂縦枠と、
のいずれか１つを選択して設けてなることを特徴とする複合サッシの枠体。
【請求項２】
上記樹脂縦枠の室外部は室内側端部に上記縦枠の第２係合部と係合する第２被係合部を備えてなることを特徴とする請求項１記載の複合サッシの枠体。
【請求項３】
上記内障子が配置される側の縦枠は上記内障子の側面に跨がれる突出部を備え、上記外障子が配置される側の縦枠の第２係合部は上記突出部と見込方向略同位置に形成されてなることを特徴とする請求項１または２記載の複合サッシの枠体。
【発明の詳細な説明】
【技術分野】
【０００１】
本発明は建物躯体の開口部に取付けられ引き違い状の障子を納める複合サッシの枠体に関し、特に金属枠の室内側部に樹脂枠を係合取付した縦枠を有する複合サッシの枠体に関する。
【背景技術】
【０００２】
従来から建物躯体の開口部に対して上下枠及び左右の縦枠を方形状に枠組みしてなる枠体を取付け、その内部に引き違い障子を納めてなる引き違いサッシが知られている。また、上下枠及び縦枠について、室外側は金属材で構成し、その室内側には樹脂材を配設してなる複合サッシの枠体も知られている。
【０００３】
複合サッシの枠体の場合、左右の縦枠には枠体の内部に納められる外障子と内障子の配置に応じて、それぞれ異なる形状の樹脂縦枠が設けられる。外障子が配置される側の縦枠は、その室内端部から外障子の室内面が配置される位置までが室内側に露出するので、その範囲を覆うような樹脂縦枠を設ける。一方、内障子が配置される側の縦枠は、その室内端部から内障子の室内面が配置される位置までが室内側に露出するので、外障子側の樹脂縦枠に比べると小さい範囲を覆うような室内樹脂縦枠を設けている。このような樹脂縦枠を有した枠体としては、例えば特許文献１に挙げるようなものがある。
【特許文献１】特開２００２−１８０７４８号公報
【発明の開示】
【発明が解決しようとする課題】
【０００４】
一方、金属材からなる金属サッシの枠体においても、室内側の結露防止のために枠体の室内側部にだけ樹脂枠を設ける場合がある。この場合は、縦枠に関しては左右とも室内外方向に短い室内樹脂縦枠を設ける。従来の枠体は、複合サッシの場合と金属サッシの場合とで金属枠を別々の形状としていた。したがって、複合サッシの金属枠において、外障子が配置される側の縦枠に室内樹脂縦枠を取付けることはできず、逆に金属サッシの金属枠において、外障子が配置される側の縦枠に樹脂縦枠を取付けることはできなかった。
【０００５】
本発明は、上記課題を解決すべくなされたものであり、複合サッシと金属サッシに兼用できてコストダウンを図ることのできる縦枠を有した複合サッシの枠体を提供することを目的とする。
【課題を解決するための手段】
【０００６】
上記課題を解決するため、本発明に係る複合サッシの枠体は、上下枠及び左右の縦枠を方形状に枠組みしてなり内部に内外障子を引き違い状に納める複合サッシの枠体において、
上記外障子が配置される側の縦枠は上記外障子の室内面近傍位置に第１係合部を備え、該第１係合部よりも室内側に第２係合部を備えると共に、室内端部に第３係合部を備え、
上記外障子が配置される側の縦枠の室内側面には、
室外側端部に設けられ上記縦枠の第１係合部に係合する第１被係合部と、該第１被係合部から室内側に向かって上記縦枠の第２係合部を跨ぐように形成された室外部と、該室外部より室内側を構成し上記縦枠の第３係合部に係合する第３被係合部を有した室内部とを備えてなる樹脂縦枠と、
室外側端部に設けられ上記縦枠の第２係合部に係合する第２被係合部と、該第２被係合部よりも室内側を構成し上記縦枠の第３係合部に係合する第３被係合部を有した室内部とを備えてなる室内樹脂縦枠と、
のいずれか１つを選択して設けてなることを特徴として構成されている。
【０００７】
また、本発明に係る複合サッシの枠体は、上記樹脂縦枠の室外部は室内側端部に上記縦枠の第２係合部と係合する第２被係合部を備えてなることを特徴として構成されている。
【０００８】
さらに、本発明に係る複合サッシの枠体は、上記内障子が配置される側の縦枠は上記内障子の側面に跨がれる突出部を備え、上記外障子が配置される側の縦枠の第２係合部は上記突出部と見込方向略同位置に形成されてなることを特徴として構成されている。
【発明の効果】
【０００９】
本発明に係る複合サッシの枠体によれば、外障子が配置される側の縦枠には外障子の室内面近傍位置に第１係合部を、それより室内側に第２係合部を備え、縦枠には、室外側端部で第１係合部と係合する第１被係合部と第２係合部を跨ぐように形成された室外部とを有した樹脂縦枠か、室外側端部で第２係合部と係合する第２被係合部を有した室内樹脂縦枠かを選択的に設けることにより、複合サッシとする場合に樹脂縦枠は第２係合部と干渉することなく縦枠に取付けることができ、また一方で縦枠には第２係合部よりも室内側部に設ける樹脂縦枠を取付けることもできるから、金属サッシで室内側部に樹脂材を設ける場合にも対応させることができる。すなわち、複合サッシと金属サッシで共用できる縦枠を有した複合サッシの枠体とすることができて、コストダウンを図ることができる。
【００１０】
また、本発明に係る複合サッシの枠体によれば、樹脂縦枠の室外部は室内側端部に縦枠の第２係合部と係合する第２被係合部を備えてなることにより、樹脂縦枠をより強固に縦枠に対して取付けることができる。
【００１１】
さらに、本発明に係る複合サッシの枠体によれば、内障子が配置される側の縦枠は内障子の側面に跨がれる突出部を備え、外障子が配置される側の縦枠の第２係合部は突出部と見込方向略同位置に形成されてなることにより、金属サッシの場合であって室内側部に樹脂材を設ける際に、内障子用の突出部よりも室内側部に設けられる樹脂縦枠を縦枠に対し確実に取付けることができる。
【発明を実施するための最良の形態】
【００１２】
本発明の実施形態について図面に沿って詳細に説明する。本実施形態では、サッシを複合サッシとする場合と金属サッシとする場合とがあり、枠体１は縦枠３０に取付けられる樹脂部材を除いて共通である。まず複合サッシの場合について説明する。図１は本実施形態における枠体を有するサッシの縦断面図であり、図２はサッシの横断面図である。本実施形態における複合サッシの基本構成は、建物開口部に取付けられる枠体１内に、外障子４と内障子５を引き違い状に納めてなるものである。
【００１３】
枠体１は、下枠１０と上枠２０及び左右の縦枠３０、３０を方形状に枠組みしてなるものである。下枠１０は室外側の金属下枠１１とその室内側に配設される樹脂下枠１２とからなっている。また、上枠２０は室外側の金属上枠２１とその室内側に配設される樹脂上枠２２とからなっている。さらに、外障子４が配置される側の縦枠３０は金属縦枠３１とその室内側に配設される樹脂縦枠３２とから、内障子５が配置される側の縦枠３０は金属縦枠３１とその室内側に配設される室内樹脂縦枠３３とからなっている。
【００１４】
枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００１５】
外障子４と内障子５は、横框である下框４０及び上框５０と、左右の縦框６０、６０とを方形状に框組みしてなる框体２の内部に、ガラス体３を納めてなるものである。そして、框体２は、室外側に金属材を配し、室内側に樹脂材を配した複合材からなるものである。すなわち、下框４０は、室外側の金属下框４１と、その室内面に取付けられる樹脂下框４２とから構成され、上框５０は、室外側の金属上框５１と、その室内面に取付けられる樹脂上框５２とから構成され、縦框６０は、室外側の金属縦框６１と、その室内面に取付けられる樹脂縦框６２とから構成される。下框４０の下端部には、戸車４３が設けられて、障子を下枠１０のレール上で走行自在となるようにしている。
【００１６】
次に、枠体１を構成する各枠について説明する。下枠１０を構成する金属下枠１１の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸（図示しない）を、それぞれサッシの長手方向に案内する。
【００１７】
樹脂下枠１２は、内レール１１ｂと金属下枠１１の室内面との間に形成される凹部内に納められ、金属下枠１１の室内面よりも室内側に向かって延出する室内延出部１２ａを有してなるものである。
【００１８】
上枠２０を構成する金属上枠２１の下面には、その長手方向略全長に渡って外レール２１ａと内レール２１ｂ及び網戸レール２１ｃが形成されている。各レールは下枠１０の各レールに対応して形成されており、外障子４と内障子５及び網戸（図示しない）をそれぞれサッシの長手方向に案内する。また、金属上枠２１の室内側部には、樹脂上枠２２が設けられ、その室内側は延出して室内延出部２２ａを形成する。
【００１９】
次に、縦枠３０について説明する。外障子４が配置される側の縦枠３０を構成する金属縦枠３１の内周面には、外障子４を閉じた状態でその側面と対向する位置に外突出部３１ａが長手方向略全長に渡って設けられる。また、内障子５が配置される側の縦枠３０を構成する金属縦枠３１の内周面には、内障子５を閉じた状態でその側面と対向する位置に内突出部３１ｂが長手方向略全長に渡って設けられる。これらは、外障子４及び内障子５を閉じた際にサッシの気密性及び水密性を確保するために設けられている。
【００２０】
内障子５が配置される側の金属縦枠３１に形成された内突出部３１ｂの室内面根元部分には、長手方向略全長に渡り室内側に向かって開口する溝状の係合溝３１ｆが形成されている。また、金属縦枠３１の室内端部には、係合溝３１ｆと対向する面を有するように突出した係合部３１ｇが形成されている。そして、室内樹脂縦枠３３が係合溝３１ｆから係合部３１ｇ及びその室内側にかけて設けられる。
【００２１】
室内樹脂縦枠３３の室外側先端部は金属縦枠３１の係合溝３１ｆに係合し、室内側に形成された被係合部３３ａは、金属縦枠３１の係合部３１ｇに係合し、固定される。また、室内樹脂縦枠３３は被係合部３３ａよりも室内側に向かって延出する室内延出部３３ｂを有している。
【００２２】
図３には、外障子４が配置される側の縦枠３０の横断面拡大図を示す。この図に示すように、外障子４が配置される側の金属縦枠３１には、室外側から順に上述の外突出部３１ａ、第１係合部３１ｃ、第２係合部３１ｄ、第３係合部３１ｅが形成されている。第１係合部３１ｃは先端が断面略コ字状となるように見付方向内側に突出して形成され、第２係合部３１ｄ、第３係合部３１ｅはそれぞれ断面略Ｌ字状に形成される。第１係合部３１ｃは外障子４の室内面近傍の位置に、第２係合部３１ｄは内障子５が配置される側の金属縦枠３１に形成された内突出部３１ｂと見込方向略同位置に、第３係合部３１ｅは金属縦枠３１の室内側端部位置に、それぞれ形成されている。そして、樹脂縦枠３２が第１係合部３１ｃから第３係合部３１ｅ及びその室内側にかけて設けられる。
【００２３】
樹脂縦枠３２は、金属縦枠３１の第１係合部３１ｃと係合する第１被係合部３２ａを室外側端部に有し、そこから室内側に向かって断面略コ字状であって金属縦枠３１の第２係合部３１ｄを跨ぐように形成された室外部３２ｂを有している。また、そこからさらに室内側に向かって伸び、金属縦枠３１と重合状態とされた室内部３２ｄを有している。このように、本実施形態では樹脂縦枠３２は第２係合部３１ｄを跨ぐように形成されており、第２係合部３１ｄと干渉することなく樹脂縦枠３２を金属縦枠３１に対して取付けることができる。
【００２４】
金属縦枠３１と重合状態となっている室内部３２ｄにおいて、樹脂縦枠３２は金属縦枠３１と一体的に建物躯体に対しビス止めされる。室内部３２ｄの端部には、金属縦枠３１の第３係合部３１ｅと係合する第３被係合部３２ｅが形成されており、さらには金属縦枠３１よりも室内側に延出する室内延出部３２ｆが形成されている。
【００２５】
次に、金属サッシの場合について説明する。図４には、金属サッシの場合の縦断面図を、図５には、金属サッシの場合の横断面図を、それぞれ示す。本実施形態における金属サッシの基本構成は、建物開口部に取付けられる枠体１内に、外障子４と内障子５を引き違い状に納めてなるものである。
【００２６】
外障子４と内障子５を構成する框体２は、全て金属材からなっている。すなわち、金属下框４１と金属上框５１、及び左右の金属縦框６１、６１により框体２が構成されている。この框体２の内部にガラス体３が納められ、外障子４と内障子５をそれぞれ構成する。
【００２７】
枠体１については、下枠１０と上枠２０の構成は複合サッシの場合と同じである。また、縦枠３０についても、金属縦枠３１の構成と、内障子５が配置される側の金属縦枠３１に設けられる室内樹脂縦枠３３の構成は、複合サッシの場合と同じである。
【００２８】
金属サッシの場合、外障子４が配置される側の金属縦枠３１には、室内樹脂縦枠３３が設けられる。金属サッシでは、室内側の結露を防止するために樹脂材を設けているので、室内外方向に長い樹脂縦枠３２ではなく、金属縦枠３１の室内側部のみを覆う室内樹脂縦枠３３を設けることで、コストを抑えつつ上記機能を果たすことができる。
【００２９】
図６には、外障子４が配置される側の縦枠３０の横断面拡大図を示す。この図に示すように、外障子４が配置される側の金属縦枠３１に取付けられる室内樹脂縦枠３３は、室外側先端部が金属縦枠３１の第２係合部３１ｄに係合し、室内側に形成された被係合部３３ａは、金属縦枠３１の係合部３１ｇに係合し、固定される。また、室内樹脂縦枠３３は被係合部３３ａよりも室内側に向かって延出する室内延出部３３ｂを有している。
【００３０】
このように、外障子４が配置される側の金属縦枠３１には、樹脂縦枠３２を固定するための第１係合部３１ｃと、室内樹脂縦枠３３を固定するための第２係合部３１ｄとが両方形成されており、樹脂縦枠３２は第２係合部３１ｄを跨ぐように形成されていることにより、この金属縦枠３１は複合サッシと金属サッシの両方に用いることができ、部品を共用化することができるので、コストダウンを図ることができる。
【００３１】
次に、本発明の第２の実施形態について説明する。図７は第２の実施形態において複合サッシとした場合の、外障子４が配置される側の縦枠３０の横断面拡大図である。第２の実施形態では、図７に示した外障子４が配置される側の縦枠３０以外のサッシの構成については、第１の実施形態と同様の構成からなっている。
【００３２】
外障子４が配置される側の金属縦枠３１には、第１の実施形態と同様、室外側から順に第１係合部３１ｃと第２係合部３１ｄ及び第３係合部３１ｅが形成されている。ただし、第１係合部３１ｃの形状が異なり、第２係合部３１ｄと同様の断面略Ｌ字状に形成されている。このように、各係合部は樹脂縦枠３２または室内樹脂縦枠３３が係合できるように形成されていればよく、形状はこれらのものには限られない。
【００３３】
金属縦枠３１に取付けられる樹脂縦枠３２は、室外側端部に金属縦枠３１の第１係合部３１ｃに係合する第１被係合部３２ａを有し、また、そこから室内側に向かって断面略コ字状であって金属縦枠３１の第２係合部３１ｄを跨ぐように形成された室外部３２ｂを有している。また、室外部３２ｂの端部には金属縦枠３１の第２係合部３１ｄと係合する第２被係合部３２ｃが形成され、そこからさらに室内側に向かって伸び、金属縦枠３１と重合状態とされた室内部３２ｄを有している。室内部３２ｄの構成は、第１の実施形態とほぼ同様であるが、室内部３２ｄは室外部３２ｂや室内延出部３２ｆより１段引っ込んだ形状となっているため、カバー体３２ｇを設けてビスを隠すと共に段差を解消する。
【００３４】
このように、第２の実施形態では、樹脂縦枠３２の室外部３２ｂが金属縦枠３１の第２係合部３１ｄを跨ぐだけでなく、それと係合する第２被係合部３２ｃを有している点が第１の実施形態と異なっている。このように、樹脂縦枠３２が第２被係合部３２ｃを有していることにより、樹脂縦枠３２を金属縦枠３１に対してより強固に固定することができる。
【００３５】
また、図８は第２の実施形態において金属サッシとした場合の、外障子４が配置される側の縦枠３０の横断面拡大図である。この図に示すように、金属サッシとする場合には、第１の実施形態と同様に外障子４が配置される側の金属縦枠３１には、室内樹脂縦枠３３が設けられる。この室内樹脂縦枠３３は、室外側端部が金属縦枠３１の第２係合部３１ｄに係合し、室内側に形成された被係合部３３ａは、金属縦枠３１の係合部３１ｇに係合し、固定される。このように、第２の実施形態の金属縦枠３１も、第１の実施形態の金属縦枠３１と同様、複合サッシと金属サッシの両方に用いることができ、部品を共用化することができるので、コストダウンを図ることができる。
【００３６】
以上、本発明の実施形態について説明したが、本発明の適用はこれらの実施形態には限られず、その技術的思想の範囲内において様々に適用されうるものである。
【図面の簡単な説明】
【００３７】
【図１】本実施形態における複合サッシの縦断面図である。
【図２】本実施形態における複合サッシの横断面図である。
【図３】複合サッシの場合の外障子が配置される側の縦枠の横断面拡大図である。
【図４】本実施形態における金属サッシの縦断面図である。
【図５】本実施形態における金属サッシの横断面図である。
【図６】金属サッシの場合の外障子が配置される側の縦枠の横断面拡大図である。
【図７】第２の実施形態において複合サッシの場合の外障子が配置される側の縦枠の横断面拡大図である。
【図８】第２の実施形態において金属サッシの場合の外障子が配置される側の縦枠の横断面拡大図である。
【符号の説明】
【００３８】
１    枠体
２    框体
３    ガラス体
４    外障子
５    内障子
１０    下枠
２０    上枠
３０    縦枠
３１    金属縦枠
３１ｃ  第１係合部
３１ｄ  第２係合部
３１ｅ  第３係合部
３１ｇ  係合部
３２    樹脂縦枠
３２ａ  第１被係合部
３２ｂ  室外部
３２ｃ  第２被係合部
３２ｄ  室内部
３２ｅ  第３被係合部
３３    室内樹脂縦枠
【図１】
2006188926.tif 000003
【図２】
2006188926.tif 000004
【図３】
2006188926.tif 000005
【図４】
2006188926.tif 000006
【図５】
2006188926.tif 000007
【図６】
2006188926.tif 000008
【図７】
2006188926.tif 000009
【図８】
2006188926.tif 000010